(57)【特許請求の範囲】
【請求項１】
タンク本体部と、タンク本体部の上部を覆うように架設されるドーム型の屋根部と、タンク本体部の肩部に設けられ、外周部の上面に手摺及び物品落下防止板が備えられた屋根部外周歩廊と、を有するタンク屋根部の排水装置であって、
前記屋根部外周歩廊の外周部の上面に前記物品落下防止板を密着固定することで、該物品落下防止板と、前記屋根部の下端と、前記屋根部外周歩廊の上面とにより形成される雨水貯留部と、
前記屋根部外周歩廊の周方向へ間隔を隔てた位置において前記物品落下防止板を切り欠いて形成した集水口により、前記雨水貯留部の雨水を外側下方へ導くようにした導水管と、
前記屋根部の下端から前記物品落下防止板に向けて下り勾配に形成した傾斜歩廊面と、
前記物品落下防止板に近接した位置で該物品落下防止板に沿うように前記傾斜歩廊面に形成され、前記傾斜歩廊面の水を前記集水口に導く水切溝と、を備え、
前記物品落下防止板により、前記雨水貯留部の側面が形成されたことを特徴とするタンク屋根部の排水装置。
【請求項２】
タンク本体部と、タンク本体部の上部を覆うように架設されるドーム型の屋根部と、タンク本体部の肩部に設けられ、外周部の上面に手摺及び物品落下防止板が備えられた屋根部外周歩廊と、を有するタンク屋根部の排水装置であって、
前記屋根部外周歩廊の外周部の上面に前記物品落下防止板を密着固定することで、該物品落下防止板と、前記屋根部の下端と、前記屋根部外周歩廊の上面とにより形成される雨水貯留部と、
前記屋根部外周歩廊の周方向へ間隔を隔てた位置において前記物品落下防止板を切り欠いて形成した集水口により、前記雨水貯留部の雨水を外側下方へ導くようにした導水管と、
前記屋根部の下端から前記物品落下防止板に向けて下り勾配に形成され、且つ、隣接する集水口の間に位置する頂点から隣接する集水口の夫々に向けて下り勾配に形成された二方向傾斜歩廊面と、
前記物品落下防止板に近接した位置で該物品落下防止板に沿うように前記二方向傾斜歩廊面に形成され、前記二方向傾斜歩廊面の水を前記集水口に導く水切溝と、を備え、
前記物品落下防止板により、前記雨水貯留部の側面が形成されたことを特徴とするタンク屋根部の排水装置。
【請求項３】
前記水切溝は、隣接する集水口の間に位置する頂点から隣接する集水口の夫々に向けて下り勾配の底面が形成された傾斜溝であることを特徴とする請求項１又は２に記載のタンク屋根部の排水装置。
【発明の詳細な説明】
【技術分野】
【０００１】
本発明は、タンク屋根部の排水装置に関するものである。
【背景技術】
【０００２】
ＬＮＧを貯蔵するためのタンクは近年大型化が進められており、直径が８０メートル、高さが６０メートルを超えるような大型のタンクが建設されている。前記ＬＮＧを貯蔵するタンクとしては、プレストレストコンクリートタンク(ＰＣタンク)が多く用いられている。
【０００３】
図７はＬＮＧを貯蔵するＰＣタンクの一例を示しており、このタンクは、タンク本体部１と、該タンク本体部１の上部を覆うように架設されるドーム型の屋根部２を有しており、タンク本体部１の上端部である肩部には屋根部外周歩廊３が形成されている。屋根部外周歩廊３の外周部の上面には手摺４が設けられており、該手摺４の内側にはトゥプレートと称される物品落下防止板５が固定されている。この物品落下防止板５は、屋根部２の建設時やメンテナンス時に構成部材或いは工具機器等の品物が屋根部外周歩廊３から下方へ落下するのを防止するために設けられる。
【０００４】
図７に示すタンクでは、雨が降った際にはドーム型の屋根部２から大量の雨水が屋根部外周歩廊３に流れ、その雨水は屋根部外周歩廊３から地上へ落下することになる。従って、地上の安全を図るために、屋根部外周歩廊３に雨水を集めて地上へ導くための雨樋を設けることが考えられる。又、前記タンクが設置される地域によっては、淡水の入手が困難な場合があり、このような地域では、屋根部２に降った雨水を集めて回収し、有効利用することが行われている。
【０００５】
しかし、図７に示すようなタンクにおいて、屋根部２の雨水を回収するためには、屋根部外周歩廊３に沿ってタンクの全周に雨樋を設置することになるが、この雨樋を設置する作業は高所作業となるため、地上に設けたクレーン或いは地上から組み上げた足場等を用いて設置する必要があり、設置作業が大掛かりになって、設置費用が増加するという問題がある。
【０００６】
このようなタンク屋根部の排水装置を示す先行技術文献としては、槽本体の上端部近傍外周に、屋根の外周を囲むよう、底板と該底板の槽本体径方向外方に設けられた壁からなる断面形状が略Ｌ字形の樋を取り付け、この樋の底板に形成した排水口により樋の水を排水する排水管を接続したものがある(特許文献１参照)。
【先行技術文献】
【特許文献】
【０００７】
【特許文献１】特開平１１−０２０８９４号公報
【発明の概要】
【発明が解決しようとする課題】
【０００８】
しかし、特許文献１に示すタンク屋根部の排水装置は、槽本体の上端部近傍外周に、屋根の外周を囲む断面形状が略Ｌ字形の樋を取り付ける方法であるため、Ｌ字形の樋をコンクリートで構築する場合には構築のための費用が増加することが考えられる。又、屋根部外周歩廊の幅方向中央寄りに排水口を設けた場合には、屋根部外周歩廊を歩行する際の障害になることも考えられ、更に、雨水が排水口に確実に排水されずに屋根部外周歩廊に残った場合には藻類等が発生することにより屋根部外周歩廊が滑り易くなることも考えられる。
【０００９】
本発明は上述の実情に鑑みてなしたもので、屋根部外周歩廊に備えられる物品落下防止板を利用して屋根部からの雨水を簡略な構成により貯留し、貯留した雨水は導水管により地上に導くことができ、更に、屋根部外周歩廊に雨水を残すことなく排水して屋根部外周歩廊を乾いた状態に保持できるタンク屋根部の排水装置を提供することを目的とする。
【課題を解決するための手段】
【００１０】
本発明は、タンク本体部と、タンク本体部の上部を覆うように架設されるドーム型の屋根部と、タンク本体部の肩部に設けられ、外周部の上面に手摺及び物品落下防止板が備えられた屋根部外周歩廊と、を有するタンク屋根部の排水装置であって、
前記屋根部外周歩廊の外周部の上面に前記物品落下防止板を密着固定することで、該物品落下防止板と、前記屋根部の下端と、前記屋根部外周歩廊の上面とにより形成される雨水貯留部と、
前記屋根部外周歩廊の周方向へ間隔を隔てた位置において前記物品落下防止板を切り欠いて形成した集水口により、前記雨水貯留部の雨水を外側下方へ導くようにした導水管と、
前記屋根部の下端から前記物品落下防止板に向けて下り勾配に形成した傾斜歩廊面と、
前記物品落下防止板に近接した位置で該物品落下防止板に沿うように前記傾斜歩廊面に形成され、前記傾斜歩廊面の水を前記集水口に導く水切溝と、を備え、
前記物品落下防止板により、前記雨水貯留部の側面が形成されたことを特徴とするタンク屋根部の排水装置、に係るものである。
【００１１】
又、本発明は、タンク本体部と、タンク本体部の上部を覆うように架設されるドーム型の屋根部と、タンク本体部の肩部に設けられ、外周部の上面に手摺及び物品落下防止板が備えられた屋根部外周歩廊と、を有するタンク屋根部の排水装置であって、
前記屋根部外周歩廊の外周部の上面に前記物品落下防止板を密着固定することで、該物品落下防止板と、前記屋根部の下端と、前記屋根部外周歩廊の上面とにより形成される雨水貯留部と、
前記屋根部外周歩廊の周方向へ間隔を隔てた位置において前記物品落下防止板を切り欠いて形成した集水口により、前記雨水貯留部の雨水を外側下方へ導くようにした導水管と、
前記屋根部の下端から前記物品落下防止板に向けて下り勾配に形成され、且つ、隣接する集水口の間に位置する頂点から隣接する集水口の夫々に向けて下り勾配に形成された二方向傾斜歩廊面と、
前記物品落下防止板に近接した位置で該物品落下防止板に沿うように前記二方向傾斜歩廊面に形成され、前記二方向傾斜歩廊面の水を前記集水口に導く水切溝と、を備え、
前記物品落下防止板により、前記雨水貯留部の側面が形成されたことを特徴とするタンク屋根部の排水装置、に係るものである。
【００１２】
上記本発明のタンク屋根部の排水装置において、前記水切溝は、隣接する集水口の間に位置する頂点から隣接する集水口の夫々に向けて下り勾配の底面が形成された傾斜溝であることが好ましい。
【発明の効果】
【００１３】
上記した本発明のタンク屋根部の排水装置によれば、屋根部外周歩廊に備えられる物品落下防止板を利用して屋根部からの雨水を簡略な構成により貯留し、貯留した雨水は導水管により地上に導くことができ、更に、屋根部外周歩廊に雨水を残すことなく排水して屋根部外周歩廊を乾いた状態に保持できるという優れた効果を奏し得る。
【図面の簡単な説明】
【００１４】
【図１】本発明のタンク屋根部の排水装置の第１の実施例を示すもので、タンクを上方から見た部分平面図である。
【図２】(ａ)は図１をＩＩＡ−ＩＩＡ方向から見た側断面図、(ｂ)は図１をＩＩＢ−ＩＩＢ方向から見た側断面図である。
【図３】図１をＩＩＩ−ＩＩＩ方向から見た側断面図である。
【図４】図１をＩＶ−ＩＶ方向から見た展開図である。
【図５】本発明のタンク屋根部の排水装置の第２の実施例を示すもので、タンクを上方から見た部分平面図である。
【図６】図５をＶＩ−ＶＩ方向から見た展開図である。
【図７】ＰＣタンクの一例を示す断面図である。
【発明を実施するための形態】
【００１５】
以下、本発明の実施の形態を図示例と共に説明する。
【００１６】
図１〜図４は本発明のタンク屋根部の排水装置の第１の実施例を示す。図１〜図４について図７も参照して説明すると、タンクは、ＬＮＧを貯蔵するタンク本体部１と、タンク本体部１の上部を覆うように架設されるドーム型の屋根部２と、タンク本体部１の上端部における肩部に形成された屋根部外周歩廊３とを有している。前記屋根部外周歩廊３の外周部の上面には手摺４が立設されており、この手摺４には上下方向に所定の幅を備えた物品落下防止板５が固定されている。この物品落下防止板５は、屋根部２の建設時やメンテナンス時に構成部材或いは工具機器等の品物が屋根部外周歩廊３から外側下方へ落下するのを防止するために設けられるものであり、通常の物品落下防止板５は、屋根部外周歩廊３の上面との間に１センチメートル程度の間隔を有して手摺４に固定されている。
【００１７】
本発明では、図２、図３に示すように、前記物品落下防止板５を屋根部外周歩廊３の外周部３'の上面に密着固定している。図２（ａ）に示すように、前記手摺４は屋根部外周歩廊３における外周部３'のコンクリートに埋設された埋板６に固定されているので、前記物品落下防止板５は前記埋板６に対して溶接により固定される。そして、前記物品落下防止板５と前記屋根部外周歩廊３の外周部３'の上面との間は、図２（ｂ）に示すようにモルタル等のシール材７によって密閉している。上記したように、屋根部外周歩廊３の外周部３'の上面に物品落下防止板５を密着固定することにより、当該物品落下防止板５と、前記屋根部２の下端２'と、前記屋根部外周歩廊３の上面とからなる雨水貯留部８が形成される。図２中、Ｗは雨水貯留部８に貯留された状態の雨水を示す。
【００１８】
図１、図３に示すように、前記屋根部外周歩廊３の周方向へ均等の間隔を隔てた位置には、前記物品落下防止板５を切り欠いて形成した集水口９が設けてあり、この集水口９を介して前記雨水貯留部８の雨水を下方へ導くようにした導水管１０を設けている。この導水管１０は、集水口９から水平方向外側へ延設された水平管部１０ａと、該水平管部１０ａから下方へ延設された鉛直管部１０ｂを有している。前記屋根部外周歩廊３の周方向へ設置される導水管１０の設置数、前記集水口９の開口面積及び導水管１０の断面積は、タンクの大きさ及びタンクが設置される地域の降雨量等に基づいて決定される。
【００１９】
従って、タンクの屋根部２に降った雨水は、屋根部外周歩廊３の雨水貯留部８に集められて貯留され、集水口９から導水管１０により地上へ導かれる。
【００２０】
しかし、前記屋根部外周歩廊３の上面の状態によっては、屋根部外周歩廊３に水が残り、屋根部外周歩廊３が濡れた状態を継続することが考えられ、この場合には水溜り部に藻類等が生じて滑り易くなることが考えられる。
【００２１】
このため、本発明では、図２、図３に示すように、前記屋根部外周歩廊３に、前記屋根部２の下端２'から前記物品落下防止板５に向けて下り勾配に形成した傾斜歩廊面１１を形成している。この傾斜歩廊面１１の傾斜角度αは、例えば１°〜３°のような小さい角度であってよい。前記傾斜歩廊面１１によれば、前記屋根部外周歩廊３に残ろうとする水を物品落下防止板５の方へ流すことができ、よって、物品落下防止板５に向かって移動した水は集水口９に向かうようになる。
【００２２】
しかし、前記傾斜歩廊面１１の構成を設けても、前記物品落下防止板５の近傍には水が残り、この部分が滑り易くなることが考えられる。
【００２３】
このため、本発明では、図２、図３に示すように、前記傾斜歩廊面１１における前記物品落下防止板５に近接した位置で、該物品落下防止板５に沿うように所要深さの水切溝１２を形成している。この水切溝１２は底面１２ａが周方向で水平になるように設けることができる。又、水切溝１２に流入した水は前記導水管１０の集水口９に流入されるようにする必要があり、このために、前記屋根部外周歩廊３の外周部３'を切り欠いて、図３に示すように、前記集水口９の内側底面９ａと前記水切溝１２の底面１２ａが一致した高さになるように導水管１０が設けられる。
【００２４】
前記水切溝１２を設けた構成によれば、前記傾斜歩廊面１１に残ろうとする水は水切溝１２に流入して集水口９に導かれるようになるので、前記傾斜歩廊面１１は乾いた状態を保持するようになる。
【００２５】
但し、前記水切溝１２の状態によっては該水切溝１２に水が残り、このために水切溝１２に藻類等が生じることが考えられる。
【００２６】
このため、本発明では、図４に示すように、前記水切溝１２は、隣接する集水口９の間に位置する頂点Ｐから隣接する集水口９の夫々に向けて下り勾配の底面が形成された傾斜溝１３としている。この傾斜溝１３の傾斜角度βは、例えば１°〜３°のような小さい角度でよい。
【００２７】
図１〜図４に示した第１の実施例によれば、以下のように作動する。
【００２８】
タンクのドーム型の屋根部２に降った雨水は、屋根部２の曲面に沿って流れ落ち、物品落下防止板５によって堰止めるように形成した雨水貯留部８に集められる。雨水貯留部８に集められた雨水Ｗは、前記屋根部外周歩廊３の周方向複数個所に設けられた集水口９から導水管１０の水平管部１０ａに流れ込み、続いて鉛直管部１０ｂを流下して地上に導かれる。従って、屋根部２に降った雨水は導水管１０を介して回収することができる。
【００２９】
天気が回復して降雨がなくなると、雨水貯留部８の雨水Ｗは集水口９に排出されるので雨水貯留部８の水はなくなる。このとき、前記屋根部外周歩廊３には傾斜歩廊面１１が形成してあり、更に、物品落下防止板５に近接した位置には水切溝１２が形成してあるので、傾斜歩廊面１１の水は残ることなく全て水切溝１２に流入し、水切溝１２によって水切りされるので、前記傾斜歩廊面１１は乾いた状態に保持されるようになる。
【００３０】
このように、傾斜歩廊面１１は乾いた状態に保持されることにより、藻類等の発生が抑えられ、前記傾斜歩廊面１１は歩行し易い状態に維持される。
【００３１】
更に、図４に示すように、前記水切溝１２は、隣接する集水口９の間に位置する頂点Ｐから隣接する集水口９の夫々に向けて下り勾配の底面が形成された傾斜溝１３としているので、前記水切溝１２の水も全て集水口９に導かれるようになる。従って、水切溝１２に水が残って水切溝１２に藻類等が発生するような問題も解消できる。
【００３２】
図５、図６は、本発明の第２の実施例を示すものであり、図５、図６の実施例では、前記屋根部２の下端から前記物品落下防止板５に向けて下り勾配に形成され、且つ、隣接する集水口９の間に位置する頂点Ｐ'から隣接する集水口９の夫々に向けて下り勾配に形成された二方向傾斜歩廊面１４を形成している。前記二方向傾斜歩廊面１４が物品落下防止板５に向かう下り勾配の傾斜角度α(図２)と、前記二方向傾斜歩廊面１４が集水口９に向かう下り勾配の傾斜角度γ(図６)は、夫々１°〜３°のような小さい角度であってよい。
【００３３】
更に、前記二方向傾斜歩廊面１４における前記物品落下防止板５に近接した位置には、該物品落下防止板５に沿うように所要深さの水切溝１２を形成している。更に、この水切溝１２は、図６に破線で示すように、二方向傾斜歩廊面１４と同様に、隣接する集水口９の間に位置する頂点Ｐから隣接する集水口９の夫々に向けて下り勾配の底面に形成された傾斜溝１３としている。即ち、前記傾斜溝１３は、前記二方向傾斜歩廊面１４と平行な勾配で形成されている。
【００３４】
図５、図６の実施例に示す二方向傾斜歩廊面１４は、屋根部２の下端から前記物品落下防止板５に向けて下り勾配に形成され、且つ、隣接する集水口９の間に位置する頂点Ｐ'から隣接する集水口９の夫々に向けて下り勾配に形成されている。従って、屋根部２から屋根部外周歩廊３に流下した雨水は、二方向傾斜歩廊面１４の物品落下防止板５に向かう下り勾配の傾斜により物品落下防止板５に向かって流れ、且つ、二方向傾斜歩廊面１４の集水口９に向かう下り勾配の傾斜により集水口９に向かって流れるようになり、雨水は効果的に集水口９に集水されるようになる。
【００３５】
前記屋根部外周歩廊３には二方向傾斜歩廊面１４が形成してあり、更に、物品落下防止板５に近接した位置には水切溝１２が形成してあるので、二方向傾斜歩廊面１４の水は全て水切溝１２に流入し、水切溝１２によって水切りされることにより、二方向傾斜歩廊面１４は乾いた状態に保持されるようになる。このように、二方向傾斜歩廊面１４は乾いた状態に保持されるので、藻類等の発生が抑えられ、前記傾斜歩廊面１１は歩行し易い状態に維持される。
【００３６】
更に、図６に示すように、前記水切溝１２は、隣接する集水口９の間に位置する頂点Ｐから隣接する集水口９の夫々に向けて下り勾配の底面が形成された傾斜溝１３としているので、前記水切溝１２の水も全て集水口９に導かれるようになる。従って、水切溝１２に水が残って水切溝１２に藻類等が発生するような問題も解消できる。
【００３７】
上記したように、本発明のタンク屋根部の排水装置によれば、屋根部外周歩廊３に備えられる物品落下防止板５を利用して屋根部２からの雨水を貯留する雨水貯留部８を形成し、雨水貯留部８に貯留した雨水を、屋根部外周歩廊３の周方向複数個所に備えた集水口９から導水管１０を介して地上に導くようにしたので、簡略な構成により屋根部２の雨水を回収することができる。
【００３８】
又、屋根部外周歩廊３には、図２、図６に示すように、傾斜歩廊面１１又は二方向傾斜歩廊面１４を形成し、更に、物品落下防止板５に近接した位置には水切溝１２を形成しているので、傾斜歩廊面１１又は二方向傾斜歩廊面１４の水は全て水切溝１２に流入するようになる。よって、傾斜歩廊面１１又は二方向傾斜歩廊面１４は乾いた状態に保持される。このように、傾斜歩廊面１１又は二方向傾斜歩廊面１４は乾いた状態に保持されるので、藻類等の発生が抑えられ、前記傾斜歩廊面１１又は二方向傾斜歩廊面１４は歩行し易い状態に維持される。
【００３９】
更に、図４、図６に示すように、前記水切溝１２は、隣接する集水口９の間に位置する頂点Ｐから隣接する集水口９の夫々に向けて下り勾配の底面が形成された傾斜溝１３としているので、前記水切溝１２の水も全て集水口９に導かれるようになる。従って、水切溝１２に水が残って水切溝１２に藻類等が発生するような問題も解消できる。
【００４０】
尚、本発明のタンク屋根部の排水装置は、上述の実施例にのみ限定されるものではなく、本発明の要旨を逸脱しない範囲内において種々変更を加え得ることは勿論である。
【符号の説明】
【００４１】
１  タンク本体部
２  屋根部
２'  下端
３  屋根部外周歩廊
３'  外周部
４  手摺
５  物品落下防止板
８  雨水貯留部
９  集水口
１０  導水管
１１  傾斜歩廊面
１２  水切溝
１３  傾斜溝
１４  二方向傾斜歩廊面
Ｐ  頂点
【図１】
0006446917.tif 000002
【図２】
0006446917.tif 000003
【図３】
0006446917.tif 000004
【図４】
0006446917.tif 000005
【図５】
0006446917.tif 000006
【図６】
0006446917.tif 000007
【図７】
0006446917.tif 000008